(57)【要約】【課題】  信号記録層が複数設けられている多層光ディスクに記録されている信号の読み出し動作を行う場合に発生する迷光による問題を解決する。【解決手段】  レーザー光を放射するレーザーダイオード１の放射口近傍にＳ偏光光とＰ偏光光を選択的に生成する偏光方向選択部材２を設け、信号の読み出し動作を行う信号記録層の偏光方向に応じて前記偏光方向選択部材２を切り替えることによって対物レンズ９に入射されるレーザー光の偏光方向を選択する。【選択図】  図１
2012146349.tif 000002
【特許請求の範囲】
【請求項１】
少なくとも２層以上の信号記録層が設けられているとともに信号の読み取り動作を行うレーザー光が入射される面側から数えて奇数番目の信号記録層と偶数番目の信号記録層の各層に偏光方向が逆の関係にある偏光反射コートを付された多層型光ディスクに記録されている信号の読み出し動作を行う光ピックアップ装置であり、レーザー光を放射するレーザーダイオードの放射口近傍にＳ偏光光とＰ偏光光を選択的に生成する偏光方向選択部材を設け、信号の読み出し動作を行う信号記録層の偏光方向に応じて前記偏光方向選択部材にて対物レンズに入射されるレーザー光の偏光方向を選択するようにしたことを特徴とする光ピックアップ装置。
【請求項２】
偏光方向選択部材にて偏光方向が選択設定されたＳ偏光光を反射させるとともに信号記録層から反射されて入射されるＳ偏光光を透過させてＳ偏光光用光検出器に導き、且つ前記偏光方向選択部材にて偏光方向が選択設定されたＰ偏光光を透過させる第１偏光レーザー光選択部材と、偏光方向選択部材にて偏光方向が選択設定されるとともに前記第１偏光レーザー光選択部材を透過したＰ偏光光を反射させるとともに信号記録層から反射されて入射されるＰ偏光光を透過させてＰ偏光光用光検出器に導く第２偏光レーザー光選択部材とを設けたことを特徴とする請求項１に記載の光ピックアップ装置。
【請求項３】
偏光方向選択部材が１／２波長板であることを特徴とする請求項１に記載の光ピックアップ装置。
【発明の詳細な説明】
【技術分野】
【０００１】
本発明は、光ディスクに記録されている信号の読み出し動作や光ディスクに信号の記録動作をレーザー光によって行う光ピックアップ装置に関する。
【背景技術】
【０００２】
光ピックアップ装置から照射されるレーザー光を光ディスクに設けられている信号記録層に照射することによって信号の読み出し動作を行うことが出来る光ディスク装置が普及している。
【０００３】
信号記録層に記録されている信号の光ピックアップ装置による読み出し動作は、レーザーダイオードから放射されるレーザー光を信号記録層に照射させ、該信号記録層から反射されるレーザー光の変化を光検出器によって検出することによって行われている。
【０００４】
レーザー光によって信号記録層に記録されている信号を読み出すためには、レーザー光を信号記録層に集光させるフォーカシング制御動作及び信号記録層に渦巻き状に設けられている信号トラックにレーザー光を追従させるトラッキング制御動作を正確に行う必要がある。
【０００５】
斯かるフォーカシング制御動作を行う方法としては、種々あるが非点収差の発生を利用した非点収差法が一般的に行われている。また、トラッキング制御方法としても種々あるが、メインビームと２つのサブビームを使用する３ビーム法が一般的に行われている。
【０００６】
更に、最近では正確なフォーカシング制御動作を行うためにメインビームだけでなくサブビームも使用する差動非点収差法が採用されている。斯かるフォーカシング制御動作に利用される非点収差法、差動非点収差法及びトラッキング制御動作に利用される３ビーム法は、２つのサブビームが各々照射される２つのサブビーム用受光部とメインビームが照射されるメインビーム用受光部が組み込まれている光検出器を設け、この光検出器から得られる信号によりフォーカスエラー信号やトラッキングエラー信号を生成させることによって各制御動作を行うように構成されているが、斯かる技術は、周知であるのでその説明は省略する。
【０００７】
また、最近では、信号記録層が１層ではなく２層設けられている光ディスクが製品化されており、斯かる光ディスクに設けられている信号記録層に記録されている信号の読み出し動作を行うことが出来る光ピックアップ装置も製品化されている。
【０００８】
２層式の光ディスクに記録されている信号の読み出し動作を行う場合、読み出し動作が行われている方の信号記録層へのフォーカシング制御動作及びトラッキング制御動作が行われるが、読み出し動作が行われていない方の信号記録層からもレーザー光が反射されることになる。読み出し動作が行われていない方の信号記録層から反射されるレーザー光は、一般に迷光と呼ばれており、斯かる迷光が差動非点収差法によるフォーカシング制御動作に使用されるフォーカスエラー信号や差動プッシュプル方式によるトラッキング制御動作に使用されるトラッキングエラー信号を生成する光検出器に照射され、この迷光によってフォーカスエラー信号やトラッキングエラー信号にオフセットや振幅変動が発生し、フォーカシング制御動作やトラッキング制御動作を正確に行うことが出来ないという問題がある。
【０００９】
斯かる迷光による問題を解決する方法として光検出器の形状を迷光による影響を排除する形状にしたものが提案されている（特許文献１参照。）。
【００１０】
前述した特許文献１に開示されている従来技術は、信号記録層が複数設けられている多層型光ディスクにおける迷光による影響を抑制するものであるが、メインビームを受光する受光部の面積とサブビームを受光する受光部の面積とが略同一にされているので、メインビームから発生する迷光による影響を受けやすいという問題がある。
【００１１】
また、光ディスク装置におけるフォーカシング制御動作は、まず光ピックアップ装置に組み込まれている対物レンズを動作位置、即ちレーザー光を信号記録層に集光させる位置まで大きく変位させる動作を行った後光ディスクの平面振動に伴うフォーカシングのずれを補正するために対物レンズの位置を細かく変位させる動作の組み合わせによって行われる。
【００１２】
斯かるフォーカシング制御動作において、対物レンズを動作位置に変位させるとき、光検出器に設けられているサブビーム用受光部及びメインビーム用受光部に照射されるレーザースポットが大きく広がるため、不要なレーザー光、特に光強度が強いメインビームのスポットがサブビーム用受光部に照射され、フォーカシング制御動作に悪影響を与えるという問題が発生する。
【００１３】
同様に差動プッシュプル方式によるトラッキング制御動作を行う場合には、サブビーム用受光部から得られる信号を利用してトラッキングエラー信号の生成動作を行うため、迷光によってトラッキング制御動作に悪影響を与えるという問題が発生する。
【００１４】
前述した迷光による問題は、信号の読み出し動作を行っている信号記録層の奥にある信号記録層から反射されるレーザー光の方が信号の読み出し動作を行っている信号記録層の手前にある信号記録層から反射されるレーザー光よりも大きいという特性がある。
【００１５】
従って、斯かる迷光による影響を少なくする方法として信号記録層と信号記録層との間に設けられる透明な保護層の厚みを大きくする方法があるが、斯かる方法では保護層の厚みに起因して発生する球面収差量が大きくなるという問題があるだけでなく信号記録層の数を多くすることが出来ないという問題がある。
【００１６】
斯かる問題を解決するために複数の信号記録層が設けられている光ディスクにおいて、レーザー光が入射される面側から数えて奇数番目の信号記録層と偶数番目の信号記録層に偏光方が逆の関係にある偏光反射コートを付した多層型光ディスクが提案されている（特許文献２参照。）。
【先行技術文献】
【特許文献】
【００１７】
【特許文献１】特開２００７−４２２３６号公報
【特許文献２】特開２０１０−４０１５１号公報
【発明の概要】
【発明が解決しようとする課題】
【００１８】
特許文献２に開示されているような多層型光ディスクから信号の読み出し動作を行うためには信号読み出し動作を行う信号記録層の偏光反射特性に合致した偏光光を照射する必要があり、特許文献２には偏光光を選択切り換えする偏光方向制御板をコリメートレンズと対物レンズとの間に配置した技術が記載されている。
【００１９】
斯かる技術においては、偏光方向制御板にて選択制御されるレーザー光束の面積が大きいため、偏光方向制御板の移動距離が長くなる。その結果、切り換え機構が大きくなるので切り換えのための動作が大きくなり、そのため価格上昇を招くという問題がある。また、偏光方向制御板がコリメートレンズと対物レンズとの間に設けられているので、球面収差を補正するためにコリメートレンズを光軸方向へ移動させるように構成された光ピックアップ装置に組み込む場合には、構造がより複雑になり、光学設計に規制を受けるという問題がある。
【００２０】
本発明は、斯かる問題を解決することが出来る光ピックアップ装置を提供しようとするものである。
【課題を解決するための手段】
【００２１】
本発明は、少なくとも２層以上の信号記録層が設けられているとともに信号の読み取り動作を行うレーザー光が入射される面側から数えて奇数番目の信号記録層と偶数番目の信号記録層の各層に偏光方向が逆の関係にある偏光反射コートを付された多層型光ディスクに記録されている信号の読み出し動作を行うためにレーザー光を放射するレーザーダイオードの放射口近傍にＳ偏光光とＰ偏光光を選択的に生成する偏光方向選択部材を設け、信号の読み出し動作を行う信号記録層の偏光方向に応じて前記偏光方向選択部材にて対物レンズに入射されるレーザー光の偏光方向を選択するようにしたことを特徴とするものである。
【００２２】
また、本発明は、偏光方向選択部材にて偏光方向が選択設定されたＳ偏光光を反射させるとともに信号記録層から反射されて入射されるＳ偏光光を透過させてＳ偏光光用光検出器に導く第１偏光レーザー光選択部材と、偏光方向選択部材にて偏光方向が選択設定されたＰ偏光光を反射させるとともに信号記録層から反射されて入射されるＰ偏光光を透過させてＰ偏光光用光検出器に導く第２偏光レーザー光選択部材とを設けたことを特徴とするものである。
【００２３】
そして、本発明は、偏光方向選択部材として１／２波長板を使用したことを特徴とするものである。
【発明の効果】
【００２４】
本発明は、多層型光ディスクに設けられている偏光方向が異なる信号記録層に記録されている信号の読み出し動作を行うレーザー光のＳ偏光光とＰ偏光光とを選択的に切り換える偏光方向選択部材をレーザーダイオードの放射口近傍に設けたので、即ちレーザー光の光束面積が小さい位置に偏光方向選択部材を設けたので、切り換えのための移動距離を短くすることが出来る。
【００２５】
従って、本発明は、構成を小型化、また簡単にすることが出来るので、迷光対策が施された多層型光ディスクに記録されている信号の読み出し動作を行うことが出来る光ピックアップ装置を価格の上昇を招くことなく提供することが出来る。
【図面の簡単な説明】
【００２６】
【図１】本発明に係る光ピックアップ装置の一実施例を示す概略図である。
【図２】本発明に係る光ピックアップ装置の一実施例を示す概略図である。
【図３】多層型光ディスクと対物レンズとの関係を示す断面図である。
【図４】多層型光ディスクと対物レンズとの関係を示す断面図である。
【発明を実施するための形態】
【００２７】
レーザーダイオードから放射されるレーザー光からＳ偏光光とＰ偏光光とを選択的に切り換えることによって多層型光ディスクに記録されている信号の読み出し動作を行うことが出来るように構成された光ピックアップ装置に関するものである。
【実施例１】
【００２８】
図１及び図２は本発明の光ピックアップ装置の一実施例、図３及び図４は、多層型光ディスクと対物レンズとの関係を示す断面図である。
【００２９】
まず、本発明に係る多層型光ディスクについて、図３を参照にして説明する。図３に示す断面図のように本発明に係る多層型光ディスクＤは、例えば光ピックアップ装置から照射されるレーザー光が入射される入射面Ｄ１側から第１信号記録層Ｌ１、第２信号記録層Ｌ２、第３信号記録層Ｌ３及び第４信号記録層Ｌ４の４つの信号記録層が設けられており、入射面Ｄ１と第１信号記録層Ｌ１との間、第１信号記録層Ｌ１と第２信号記録層Ｌ２との間、第２信号記録層Ｌ２と第３信号記録層Ｌ３との間及び第３信号記録層Ｌ３と第４信号記録層Ｌ４との間には夫々透明な保護層Ｇ１、Ｇ２、Ｇ３及びＧ４が設けられている。
【００３０】
また、本発明に係る多層型光ディスクＤは、前述した第１信号記録層Ｌ１、第２信号記録層Ｌ２、第３信号記録層Ｌ３及び第４信号記録層Ｌ４の各信号記録層におけるレーザー光が入射される側の面には、夫々第１偏光反射コートＰ１、第２偏光反射コートＰ２、第３偏光反射コートＰ３及び第４偏光反射コートＰ４が付されている。
【００３１】
そして、斯かる構成において、奇数番目の信号記録層である第１信号記録層Ｌ１及び第３信号記録層Ｌ３に付されている第１偏光反射コートＰ１及び第３偏光反射コートＰ３の偏光方向と偶数番目の信号記録層である第２信号記録層Ｌ２及び第４信号記録層Ｌ４に付されている第２偏光反射コートＰ２及び第４偏光反射コートＰ４の偏光方向とが逆になるようにされている。
【００３２】
即ち、例えば第１信号記録層Ｌ１及び第３信号記録層Ｌ３に付されている第１偏光反射コートＰ１及び第３偏光反射コートＰ３の偏光方向を直線偏光光のＳ方向になるように設定し、第２信号記録層Ｌ２及び第４信号記録層Ｌ４に付されている第２偏光反射コートＰ２及び第４偏光反射コートＰ４の偏光方向を直線偏光光のＰ方向になるように設定されている。
【００３３】
斯かる構成の多層型光ディスクＤにおいて、第１信号記録層Ｌ１に付されている第１偏光反射コートＰ１及び第３信号記録層Ｌ３に付されている第３偏光反射コートＰ３は、Ｓ偏光光を反射させるが、Ｐ偏光光は透過させるように作用することになる。また、第２信号記録層Ｌ２に付されている第２偏光反射コートＰ２及び第４信号記録層Ｌ４に付されている第４偏光反射コートＰ４は、Ｐ偏光光を反射させるが、Ｓ偏光光は透過させるように作用することになる。
【００３４】
また、斯かる構成の多層型光ディスクＤにおいて、第１信号記録層Ｌ１及び第１偏光反射コートＰ１より構成される第１信号層は入射されるＳ偏光光の全てを反射させるものではなく、第３信号記録層Ｌ３に記録されている信号の読み出し動作を行うために必要なレベルのレーザー光を透過させることが出来るように構成されている。そして、第２信号記録層Ｌ２及び第２偏光反射コートＰ２より構成される第２信号層は入射されるＰ偏光光の全てを反射させるものではなく、第４信号記録層Ｌ４に記録されている信号の読み出し動作を行うために必要なレベルのレーザー光を透過させることが出来るように構成されている。
【００３５】
以上に説明したように本発明の多層型光ディスクＤは構成されているが、次に斯かる構成の多層型光ディスクＤの各信号記録層に記録されている信号の読み出し動作を行うことが出来る本発明の光ピックアップ装置について、図１及び図２を参照にして説明する。
【００３６】
図１において、１はレーザー駆動回路から供給される駆動信号に対応した出力のレーザー光を放射するレーザーダイオード、２は前記レーザーダイオード１から放射されるレーザー光が入射されるとともに該レーザーダイオード１の放射口近傍に設けられている偏光方向選択部材であり、回転位置を変更する等の動作によってＳ偏光光のレーザー光とＰ偏光光のレーザー光とを選択的に出射するように構成されている。そして、斯かる偏光方向選択部材２としては、一般に１／２波長板と呼ばれる光学部品が使用される。
【００３７】
３は前記偏光方向選択部材２から出射されるレーザー光が入射される第１偏光レーザー選択部材であり、レーザーダイオード１側から入射されるＳ偏光光を反射させるとともにＰ偏光光を透過させ、対物レンズ側から入射されるＳ偏光光を透過させるように構成されている。４は前記第１偏光レーザー選択部材３を透過したＰ偏光光が入射される位置に設けられている第２偏光レーザー選択部材であり、レーザーダイオード１側から入射されるＰ偏光光を反射させるとともに対物レンズ側から入射されるＰ偏光光を透過させるように構成されている。
【００３８】
５は前記第１偏光レーザー選択部材３にて反射されるＳ偏光光が入射されるとともに該Ｓ偏光光を後述する対物レンズ方向へ反射させ、且つ対物レンズ方向から反射されて来るＳ偏光光である戻り光を前記第１偏光レーザー選択部材３方向へ反射させる反射用プリズムである。
【００３９】
６は前記反射用プリズム５にて反射されたＳ偏光光及び前記第２偏光レーザー選択部材４にて反射されたＰ偏光光が入射されるとともに対物レンズ方向から反射されて来るＳ偏光光及びＰ偏光光が入射される偏光ビームスプリッタであり、Ｓ偏光光は透過させるとともにＰ偏光光は反射させる制御膜６ａが設けられている。
【００４０】
７は前記偏光ビームスプリッタ６の制御膜６ａを透過したＳ偏光光及び該制御膜６ａにて反射されたＰ偏光光が入射されるコリメートレンズであり、入射されるレーザー光を平行光であるレーザー光に変更する作用を成すものである。また、前記コリメートレンズ７は球面収差を補正するためにモーター８によって光軸方向、即ち矢印Ａへ変位されるように構成されている。
【００４１】
９は前記コリメートレンズ７にて平行光に変換されたレーザー光が入射される対物レンズであり、多層型光ディスクＤに設けられている各信号記録層にレーザー光を集光させる作用を成すものである。また、前記対物レンズ９は、多層型光ディスクＤの信号面に対して垂直方向への変位動作によってフォーカシング制御動作を行うとともに多層型光ディスクＤの径方向への変位動作によってトラッキング制御動作を行うように構成されている。斯かる動作を行う対物レンズは、例えば４本の支持ワイヤーにてフォーカシング制御方向及びトラッキング制御方向への変位を可能に支持されているレンズホルダーと呼ばれる部材上に固定されているが、斯かる構成は周知であるので、その説明は省略する。
【００４２】
前記対物レンズ９によって多層型光ディスクＤの各信号記録層に照射されたレーザー光は前記信号記録層から反射された戻り光として光ディスクＤ側から前記対物レンズ９に入射される。前記対物レンズ９に入射される戻り光は、コリメートレンズ７を通して前記偏光ビームスプリッタ６に入射される。
【００４３】
前記偏光ビームスプリッタ６に入射される戻り光の中、Ｓ偏光光は制御膜６ａを透過し、Ｐ偏光光は該制御膜６ａにて反射される。前記制御膜６ａを透過したＳ偏光光の戻り光は、反射用プリズム５にて反射されて前記第１偏光レーザー選択部材３に入射されるが、斯かる戻り光は該第１偏光レーザー選択部材３にて反射されることはなく透過するように構成されている。１０は前記第１偏光レーザー選択部材３を透過したＳ偏光光である戻り光が照射される位置に設けられているＳ偏光光用光検出器であり、フォーカスエラー信号やトラッキングエラー信号等を生成するように周知のセンサーが組み込まれている。
【００４４】
また、前記制御膜６ａにて反射されたＰ偏光光の戻り光は、前記第２偏光レーザー選択部材４に入射されるが、斯かる戻り光は該第２偏光レーザー選択部材４にて反射されることはなく透過するように構成されている。１１は前記第２偏光レーザー選択部材４を透過したＰ偏光光である戻り光が照射される位置に設けられているＰ偏光光用光検出器であり、フォーカスエラー信号やトラッキングエラー信号等を生成するように周知のセンサーが組み込まれている。
【００４５】
以上に説明したように本発明の光ピックアップ装置は構成されているが、３ビーム法のトラッキング制御動作を行うためにメインビームとサブビームを生成する回折格子やレーザーダイオードの出力を制御するために設けられるフロントモニターダイオード等は省略した。
【００４６】
以上に説明したように本発明の光ピックアップ装置は構成されているが、次にその読み出し動作について説明する。
【００４７】
まず、第１信号記録層Ｌ１に記録されている信号を読み出す場合の動作について図１及び図３を参照して説明する。第１信号記録層Ｌ１にはＳ方向の偏光光を反射させる第１偏光反射コートＰ１が付されているので、偏光方向選択部材２はＳ偏光光を出射する状態に切り換えられる。
【００４８】
斯かる状態において、光ディスク装置に組み込まれている制御回路から第１信号記録層Ｌ１に記録されている信号の読み出し動作を行うための命令信号が出力されると、光ピックアップ装置に組み込まれているレーザーダイオード駆動回路からレーザーダイオード１に対して第１信号記録層Ｌ１に記録されている信号の読み出し動作を行うために必要な大きさのレーザー光を放射させるための駆動信号が供給される。
【００４９】
斯かる駆動信号がレーザーダイオード１に供給されると該レーザーダイオード１から第１信号記録層Ｌ１に記録されている信号を読み出すために必要な大きさのレーザー光が放射される。前記レーザーダイオード１から放射されたレーザー光は、偏光方向選択部材２に入射され、該偏光方向選択部材２からＳ偏光光として出射されることになる。
【００５０】
前記偏光方向選択部材２から出射されたＳ偏光光であるレーザー光は、前記第１偏光レーザー選択部材３にて反射された後反射用プリズム５に入射され、該反射用プリズム５にて偏光ビームスプリッタ６方向へ反射せしめられる。前記偏光ビームスプリッタ６に入射されたレーザー光は、該偏光ビームスプリッタ６の制御膜６ａを透過した後コリメートレンズ７に入射され、該コリメートレンズ７によって平行光に変更される。前記コリメートレンズ７によって平行光に変更されたレーザー光は、対物レンズ９に入射され、該対物レンズ９の集光動作によって第１信号記録層Ｌ１に集光されることになる。
【００５１】
図３は斯かるＳ偏光光のレーザー光が前記対物レンズ９によって集光された状態を示すものであり、同図より明らかなように第１信号記録層Ｌ１に集光されるとともに一部のレーザー光は破線で示すように該第１信号記録層Ｌ１を透過することになる。
【００５２】
前記第１信号記録層Ｌ１に集光されたレーザー光はＳ偏光光であるため、該第１信号記録層Ｌ１に付されている第１偏光反射コートＰ１にて反射される。前記第１偏光反射コートＰ１にて反射されたレーザー光である戻り光は、対物レンズ９に光ディスクＤ側から入射されるので、コリメートレンズ７を介して偏光ビームスプリッタ６に入射されることになる。
【００５３】
前記偏光ビームスプリッタ６に入射される第１信号記録層Ｌ１からの戻り光であるレーザー光はＳ偏光光であるので、該偏光ビームスプリッタ６に設けられている制御膜６ａを透過する。該制御膜６ａを透過したレーザー光は、反射用プリズム５にて反射されるとともに第１偏光レーザー選択部材３を透過し、Ｓ偏光光用光検出器１０に照射される。このようにしてレーザー光がＳ偏光光用光検出器１０に照射されると、該Ｓ偏光光用光検出器１０に組み込まれている４分割センサー(図示せず)等によるフォーカシングエラー信号、トラッキングエラー信号及びデータ信号の生成動作が行われ、斯かる信号に基づくフォーカシング制御動作、トラッキング制御動作及びデータ信号の復調動作が行われるが、斯かる動作は周知であるのでその説明は省略する。
【００５４】
斯かる動作によって多層型光ディスクＤに設けられている第１信号記録層Ｌ１に記録されている信号の光ピックアップ装置による読み出し動作は行われるが、斯かる動作が行われるとき、前述したように第１信号記録層Ｌ１に集光されるレーザー光の一部が該第１信号記録層Ｌ１を透過する。
【００５５】
前記第１信号記録層Ｌ１を透過したＳ偏光光であるレーザー光は、第１信号記録層Ｌ１に近接して配置されている第２信号記録層Ｌ２に照射されるが、該第２信号記録層Ｌ２にはＰ偏光反射コートである第２偏光反射コートＰ２が付されているので、該レーザー光は図３の破線で示すように第２信号記録層Ｌ２を透過することになる。従って、前記第２信号記録層Ｌ２からレーザー光が反射されないので、対物レンズ９に対して迷光と呼ばれる不要な戻り光が入射されることはない。
【００５６】
また、第２信号記録層Ｌ２を透過したレーザー光は、Ｓ偏光反射コートである第３偏光反射コートＰ３が付されている第３信号記録層Ｌ３に照射されて反射されるが、該第３信号記録層Ｌ３は第１信号記録層Ｌ１と離れた位置に配置されているので、第３信号記録層Ｌ３から反射されるレーザー光は広範囲に発散されることになる。従って、対物レンズ９に対して戻り光として入射されるレーザー光の光量は無視することが出来る程度に小さくなり、前述したＳ偏光光用光検出器１０による各種信号の生成検出動作に悪影響を与えることはない。
【００５７】
以上に説明したように第１信号記録層Ｌ１に記録されている信号の読み出し動作は行われるが、次に第２信号記録層Ｌ２に記録されている信号を読み出す場合の動作について説明する。
【００５８】
第２信号記録層Ｌ２にはＰ方向の偏光光を反射させる第２偏光反射コートＰ２が付されているので、光ピックアップ装置に組み込まれている偏光方向選択部材２はＰ偏光光を出射する状態に切り換えられる。図２は斯かる第２信号記録層Ｌ２に記録されている信号の読み出し動作を行う場合の光路を説明するものである。
【００５９】
斯かる状態において、光ディスク装置に組み込まれている制御回路から第２信号記録層Ｌ２に記録されている信号の読み出し動作を行うための命令信号が出力されると、光ピックアップ装置に組み込まれているレーザーダイオード駆動回路からレーザーダイオード１に対して第２信号記録層Ｌ２に記録されている信号の読み出し動作を行うために必要な大きさのレーザー光を放射させるための駆動信号が供給される。
【００６０】
斯かる駆動信号がレーザーダイオード１に供給されると該レーザーダイオード１から第２信号記録層Ｌ２に記録されている信号を読み出すために必要な大きさのレーザー光が放射される。前記レーザーダイオード１から放射されたレーザー光は、偏光方向選択部材２に入射され、該偏光方向選択部材２からＰ偏光光として出射されることになる。
【００６１】
前記偏光方向選択部材２から出射されたＰ偏光光であるレーザー光は、前記第１偏光レーザー選択部材３を透過した後前記第２偏光レーザー選択部材４に入射され、該第２偏光レーザー選択部材４にて偏光ビームスプリッタ６方向へ反射せしめられる。前記偏光ビームスプリッタ６に入射されたレーザー光は、該偏光ビームスプリッタ６の制御膜６ａにて反射されるとともにコリメートレンズ７に入射され、該コリメートレンズ７によって平行光に変更される。前記コリメートレンズ７によって平行光に変更されたレーザー光は、対物レンズ９に入射され、該対物レンズ９の集光動作によって第２信号記録層Ｌ２に集光されることになる。
【００６２】
図４は斯かるＰ偏光光のレーザー光が前記対物レンズ９によって集光された状態を示すものであり、同図より明らかなように第１信号記録層Ｌ１を透過して第２信号記録層Ｌ２に集光されるとともに一部のレーザー光は破線で示すように該第２信号記録層Ｌ２を透過することになる。
【００６３】
前記第２信号記録層Ｌ２に集光されるレーザー光はＰ偏光光であるため、Ｓ偏光反射コートである第１偏光反射コートＰ１が付されている第１信号記録層Ｌ１を透過した後、該第２信号記録層Ｌ２に付されている第２偏光反射コートＰ２にて反射される。前記第２偏光反射コートＰ２にて反射されたレーザー光は、第１信号記録層Ｌ１を透過するとともに対物レンズ９に光ディスクＤ側から入射されるので、コリメートレンズ７を介して偏光ビームスプリッタ６に入射される。
【００６４】
前記偏光ビームスプリッタ６に入射される第２信号記録層Ｌ２からの反射光であるレーザー光の偏光方向はＰ偏光光であるので、該偏光ビームスプリッタ６に設けられている制御膜６ａによって反射され、前記第２偏光レーザー選択部材４に入射される。該第２偏光レーザー選択部材４に入射されたレーザー光は、該第２偏光レーザー選択部材４を透過した後Ｐ偏光光用光検出器１１に照射される。このようにしてレーザー光がＰ偏光光用光検出器１１に照射されると、該Ｐ偏光光用光検出器１１に組み込まれている４分割センサー(図示せず)等によるフォーカシングエラー信号、トラッキングエラー信号及びデータ信号の生成動作が行われ、斯かる信号に基づくフォーカシング制御動作、トラッキング制御動作及びデータ信号の復調動作が前述した第１信号記録層Ｌ１に記録されている信号の読み出し動作と同様に行われることになる。
【００６５】
斯かる動作によって多層型光ディスクＤに設けられている第２信号記録層Ｌ２に記録されている信号の光ピックアップ装置による読み出し動作は行われるが、斯かる動作が行われるとき、前述したように第２信号記録層Ｌ２に集光されるレーザー光の一部が該第２信号記録層Ｌ２を透過する。
【００６６】
前記第２信号記録層Ｌ２を透過したＰ偏光光であるレーザー光は、第２信号記録層Ｌ２に近接して配置されている第３信号記録層Ｌ３に照射されるが、該第３信号記録層Ｌ３にはＳ偏光反射コートである第３偏光反射コートＰ３が付されているので、該レーザー光は図４の破線で示すように第３信号記録層Ｌ３を透過することになる。従って、前記第３信号記録層Ｌ３からレーザー光が反射されないので、対物レンズ９に対して迷光と呼ばれる不要な戻り光が入射されることはない。
【００６７】
また、第３信号記録層Ｌ３を透過したレーザー光は、Ｐ偏光反射コートである第４偏光反射コートＰ４が付されている第４信号記録層Ｌ４に照射されて反射されるが、該第４信号記録層Ｌ４は第２信号記録層Ｌ２と離れた位置に配置されているので、第４信号記録層Ｌ４から反射されるレーザー光は広範囲に発散されることになる。従って、対物レンズ９に対して戻り光として入射されるレーザー光の光量は無視することが出来る程度に小さくなり、前述したＰ偏光光用光検出器１１による各種信号の生成検出動作に悪影響を与えることはない。
【００６８】
以上に説明したように第１信号記録層Ｌ１及び第２信号記録層Ｌ２に記録されている信号の読み出し動作は行われるが、次に第３信号記録層Ｌ３に記録されている信号の読み出し動作について説明する。
【００６９】
斯かる動作は、前述した第１信号記録層Ｌ１に記録されている信号の読み出し動作と同様に行われるが、相違する点はレーザーダイオード１に供給される駆動信号の大きさを変更する点と集光動作を行う信号記録層を検出する動作を行う点にある。
【００７０】
即ち、第３信号記録層Ｌ３は第１信号記録層Ｌ１よりも入射面Ｄ１から見て奥に配置されているとともに第１信号記録層Ｌ１にて光量が減衰されるので、レーザーダイオード１から放射されるレーザー光の強度を大きくする必要があるからである。第３信号記録層Ｌ３に記録されている信号の読み出し動作は、前述したようにレーザーダイオード１に供給される駆動信号の大きさを第１信号記録層Ｌ１に記録されている信号の読み出し動作を行う場合に比較して大きくする動作を行った後に第１信号記録層Ｌ１と第３信号記録層Ｌ３とを識別する動作を行うことによって行われる。
【００７１】
斯かる信号記録層の識別動作は、対物レンズ９を多層型光ディスクＤの入射面Ｄ１に対して離れた位置から近づける方向に移動させるときに得られるフォーカスエラー信号を検出することによって行うことが出来る。即ち、周知のとおり対物レンズ９を光ディスクＤの信号面に対して垂直方向へ変位させるとＳ字カーブと呼ばれるフォーカスエラー信号が得られるので、対物レンズ９を入射面Ｄ１から離れた位置から近づける方向に移動させると第１信号記録層Ｌ１と第３信号記録層Ｌ３の位置で２つのＳ字カーブと呼ばれるフォーカスエラー信号が得られる。
【００７２】
このように対物レンズ７を変位させたときに得られるＳ字カーブの数を検出することによって第１信号記録層Ｌ１と第３信号記録層Ｌ３とを識別することが出来るので、２つ目のＳ字カーブが得られた信号記録層が所望の信号記録層である第３信号記録層Ｌ３であることを認識することが出来る。従って、第３信号記録層Ｌ３に対するフォーカス制御動作及びトラッキング制御動作を行うことによって該第３信号記録層Ｌ３に記録されている信号の読み出し動作を行うことが出来る。
【００７３】
第３信号記録層Ｌ３に記録されている信号の読み出し動作は、Ｓ偏光光のレーザー光にて行われるが、該第３信号記録層Ｌ３の奥に配置されている第４信号記録層Ｌ４にはＰ偏光反射コートである第４偏光反射コートＰ４が付されているので、Ｓ偏光光のレーザー光が第４信号記録層Ｌ４から反射されることはない。従って、第３信号記録層Ｌ３に記録されている信号の読み出し動作に対して迷光による悪影響を与えることはないので、第３信号記録層Ｌ３に記録されている信号の読み出し動作を正確に行うことが出来る。
【００７４】
以上に説明したように第３信号記録層Ｌ３に記録されている信号の読み出し動作は行われるが、次に該第３信号記録層Ｌ３の奥に配置されている第４信号記録層Ｌ４に記録されている信号の読み出し動作について説明する。
【００７５】
斯かる動作は、前述した第２信号記録層Ｌ２に記録されている信号の読み出し動作と同様に行われるが、相違する点はレーザーダイオード１に供給される駆動信号の大きさを変更する点と集光動作を行う信号記録層を検出する動作を行う点にある。
【００７６】
即ち、第４信号記録層Ｌ４は第２信号記録層Ｌ２よりも入射面Ｄ１から見て奥に配置されているとともに第２信号記録層Ｌ２にて光量が減衰されるので、レーザーダイオード１から放射されるレーザー光の強度を大きくする必要があるからである。第４信号記録層Ｌ４に記録されている信号の読み出し動作は、前述したようにレーザーダイオード１に供給される駆動信号の大きさを第２信号記録層Ｌ２に記録されている信号の読み出し動作を行う場合に比較して大きくする動作を行った後に第２信号記録層Ｌ２と第４信号記録層Ｌ４とを識別する動作を行うことによって行われる。
【００７７】
斯かる信号記録層の識別動作は、前述したように対物レンズ９を多層型光ディスクＤの入射面Ｄ１に対して離れた位置から近づける方向に移動させるときに得られるフォーカスエラー信号を検出することによって行うことが出来る。即ち、対物レンズ７を光ディスクの信号面に対して垂直方向へ変位させるとＳ字カーブと呼ばれるフォーカスエラー信号が得られるので、対物レンズ９を入射面Ｄ１から離れた位置から近づける方向に移動させると第２信号記録層Ｌ２と第４信号記録層Ｌ４の位置で２つのＳ字カーブと呼ばれるフォーカスエラー信号が得られる。
【００７８】
このように対物レンズ９を変位させたときに得られるＳ字カーブの数を検出することによって第２信号記録層Ｌ２と第４信号記録層Ｌ４とを識別することが出来るので、２つ目のＳ字カーブが得られた信号記録層が所望の信号記録層である第４信号記録層Ｌ４であることを認識することが出来る。従って、第４信号記録層Ｌ４に対するフォーカス制御動作及びトラッキング制御動作を行うことによって該第４信号記録層Ｌ４に記録されている信号の読み出し動作を行うことが出来る。
【００７９】
第４信号記録層Ｌ４に記録されている信号の読み出し動作は、Ｐ偏光光のレーザー光にて行われるが、該第４信号記録層Ｌ４の奥には信号記録層が配置されていないので、レーザー光が迷光として反射されることはない。従って、第４信号記録層Ｌ４に記録されている信号の読み出し動作に対して迷光による悪影響を与えることはないので、第４信号記録層Ｌ４に記録されている信号の読み出し動作を正確に行うことが出来る。
【００８０】
以上に説明したように第１信号記録層Ｌ１、第２信号記録層Ｌ２、第３信号記録層Ｌ３及び第４信号記録層Ｌ４に記録されている信号の読み出し動作は行われるが、各信号記録層と入射面Ｄ１との間にある保護層の厚さが変化するため球面収差が発生することになる。本実施例では、モーター８によってコリメートレンズ７を光軸方向へ変位させることによって球面収差を補正するように構成されている。斯かるコリメートレンズ７の光軸方向への変位動作によって球面収差を補正するように構成された光ピックアップ装置は周知であるので、その説明は省略する。
【産業上の利用可能性】
【００８１】
本実施例では信号記録層が４層設けられている多層型光ディスクについて説明したが、２層以上の信号記録層が設けられている多層型光ディスクに実施することが出来る。また、本実施例では、４層、即ち偶数の信号記録層が設けられている多層型光ディスクについて説明したが、３層や５層のような奇数個の信号記録層が設けられている多層型光ディスクに実施することは勿論可能である。
【００８２】
そして、本実施例では、奇数番目の信号記録層にＳ偏光光を反射させる反射コートを設けるとともに偶数番目の信号記録層にＰ偏光光を反射させる反射コートを設けたが、反対に奇数番目の信号記録層にＰ偏光光を反射させる反射コートを設けるとともに偶数番目の信号記録層にＳ偏光光を反射させる反射コートを設けるようにすることも出来る。
【符号の説明】
【００８３】
１      レーザーダイオード
２      偏光方向選択部材
３      第１偏光レーザー選択部材
４      第２偏光レーザー選択部材
６      偏光ビームスプリッタ
７      コリメートレンズ
９      対物レンズ
Ｄ      光ディスク
【図１】
2012146349.tif 000003
【図２】
2012146349.tif 000004
【図３】
2012146349.tif 000005
【図４】
2012146349.tif 000006